(57)【要約】【課題】多層記録媒体に対して容易に適正なデータ記録が行われるようにする。【解決手段】  レーザ入射側からみて順に第１〜第ｎの記録層が形成された光記録媒体に対して記録するストリームデータを、第１〜第ｎの各記録層に記録するデータ量毎に第１〜第ｎのブロックに分割する。そして第ｎのブロックから第１のブロックまでを順に読み出して、光記録媒体の第ｎの記録層から第１の記録層に順に記録していく。これにより各記録層における記録時に、レーザ光が既にデータ記録が行われた記録層を通過することがないようにするとともに、記録完了後においては、データストリームの先頭から終端が、第１層から第ｎ層に向かって記録されている状態となるようにする。【選択図】      図２
2005293648.tif 000002
【特許請求の範囲】
【請求項１】
光記録媒体に記録するストリームデータを形成するデータフォーマッタ手段と、
上記データフォーマッタ手段で形成されたストリームデータを格納する格納手段と、
レーザ入射側からみて順に第１〜第ｎの記録層が形成された光記録媒体に対して、上記各記録層にレーザ照射を行ってデータ記録を行う記録手段と、
上記格納手段に格納されたストリームデータを、光記録媒体の第１〜第ｎの各記録層に記録するデータ量毎に第１〜第ｎのブロックに分割し、上記第ｎのブロックから第１のブロックまでが順に読み出されるように上記格納手段を制御するとともに、順に読み出される各ブロックのデータを、上記光記録媒体の第ｎの記録層から第１の記録層に順に記録させていくように上記記録手段を制御する制御手段と、
を備えたことを特徴とする記録装置。
【請求項２】
レーザ入射側からみて順に第１〜第ｎの記録層が形成された光記録媒体に対して記録するストリームデータを形成するフォーマットステップと、
上記ストリームデータを格納手段に格納する格納ステップと、
格納されたストリームデータを、光記録媒体の第１〜第ｎの各記録層に記録するデータ量毎に第１〜第ｎのブロックに分割する分割ステップと、
上記第ｎのブロックから第１のブロックまでを上記格納手段から順に読み出し、上記光記録媒体の第ｎの記録層から第１の記録層に順に記録させていく記録ステップと、
を備えたことを特徴とする記録方法。
【発明の詳細な説明】
【技術分野】
【０００１】
本発明はビデオデータなどのストリームデータを、複数の記録層が形成された光記録媒体に記録する場合に好適な記録装置、記録方法に関するものである。
【背景技術】
【０００２】
【特許文献１】特開２０００−２８５４６９号公報
【特許文献２】特開２００３−１７８４４８号公報
【０００３】
ＣＤ（Compact Disc）、ＤＶＤ（Digital Versatile Disc）、ブルーレイディスク（Blu-Ray Disc）など、各種方式の光ディスクが開発されているが、これらの光ディスクにおいてはいわゆる２層ディスクなど、記録層を複数設けた多層ディスクが開発され、データ記録容量の大容量化が促進されている。上記特許文献１，２には２層ディスクに関する技術が開示されている。
【発明の開示】
【発明が解決しようとする課題】
【０００４】
ところで例えば映画等のビデオコンテンツをＤＶＤ−Ｒなどの光ディスクに記録していくことを考える。
通常のＤＶＤでのオーサリングの手順は、まずビデオデータをＭＰＥＧ方式で圧縮する。そしてその後、オーディオデータや制御情報を追加し、さらにＤＶＤ上でのアドレス順にデータの並び替えを行う。このようなフォーマッタ処理で、ディスクに記録すべきストリームデータが形成されることになり、これが一端ＨＤＤ（ハードディスクドライブ）などに格納される。
そのＨＤＤからストリームデータを読み出し、データの先頭から順にＤＶＤ−Ｒなどの光ディスクに記録していくことになる。
【０００５】
このようなオーサリング手順を多層ディスクへの記録に適用すると次のようになる。即ち、ＨＤＤに格納されたストリームデータは、その先頭から読み出されて、多層ディスクが装填されたディスクドライブ装置に供給される。ディスクドライブ装置では、第１層から記録を開始し、或る記録層の記録を完了したら、次の記録層への記録に移ることになる。つまりストリームデータを先頭から順に、第１層から第ｎ層に向かって記録していく。
【０００６】
ここで、第１層がディスクのレーザ入射面側に最も近い位置にあり、第ｎ層はレーザ入射面側から最も遠い位置にあることを考える。
例えば２層ディスクの場合で、第１層がレーザ入射面側にあり、第２層がレーザ入射面側側からみて第１層よりも奥にある場合である。
その場合、上記手順によればまず最初に第１層の記録が行われ、続いて第２層の記録が行われるが、第２層の記録時には、レーザ光は既にデータ記録済の第１層を通過することになる。この場合、第１層に記録されたピットマークによりレーザ光の一部が遮られる事態が想定される。つまり第２層においてデータの記録特性が劣化することが考えられる。
【０００７】
この場合、先に第２層の記録を行えばよいことにはなるが、すると、ストリームデータの前半が第２層に記録され、後半が第１層に記録されてしまうことになり、つまりデータの並びが逆転してしまうため、その後の再生時に正常な再生ができない。例えばディスク再生専用機は、特別なデータ順序に対応できないため、順序が異なる状態でストリームデータを再生してしまうことになる。
【課題を解決するための手段】
【０００８】
そこで本発明は、レーザ入射面側側からみて奥に位置する記録層から順に記録を行っていくことで、ピットマークの干渉による記録特性の劣化を防止し、かつストリームデータの順序が正しく光記録媒体の各記録層に記録さてるようにすることを目的とする。
【０００９】
本発明の記録装置は、光記録媒体に記録するストリームデータを形成するデータフォーマッタ手段と、上記データフォーマッタ手段で形成されたストリームデータを格納する格納手段と、レーザ入射側からみて順に第１〜第ｎの記録層が形成された光記録媒体に対して、上記各記録層にレーザ照射を行ってデータ記録を行う記録手段と、上記格納手段に格納されたストリームデータを、光記録媒体の第１〜第ｎの各記録層に記録するデータ量毎に第１〜第ｎのブロックに分割し、上記第ｎのブロックから第１のブロックまでが順に読み出されるように上記格納手段を制御するとともに、順に読み出される各ブロックのデータを、上記光記録媒体の第ｎの記録層から第１の記録層に順に記録させていくように上記記録手段を制御する制御手段とを備える。
【００１０】
本発明の記録方法は、レーザ入射側からみて順に第１〜第ｎの記録層が形成された光記録媒体に対して記録するストリームデータを形成するフォーマットステップと、上記ストリームデータを格納手段に格納する格納ステップと、格納されたストリームデータを、光記録媒体の第１〜第ｎの各記録層に記録するデータ量毎に第１〜第ｎのブロックに分割する分割ステップと、上記第ｎのブロックから第１のブロックまでを上記格納手段から順に読み出し、上記光記録媒体の第ｎの記録層から第１の記録層に順に記録させていく記録ステップとを備える。
【００１１】
即ち本発明は、多層光記録媒体に記録すべきストリームデータがＨＤＤ等の格納手段に格納されている際に、第１の記録層から第ｎの記録層に記録すべき部分毎を、第１〜第ｎのブロックとしてストリームデータを分割する。
そして最初に第ｎのブロックを読み出して、光記録媒体の第ｎの記録層に記録する。次に第ｎ−１のブロックを読み出して、光記録媒体の第ｎ−１の記録層に記録する。このような順序で最後に第１のブロックを読み出して、光記録媒体の第１の記録層に記録する。
【発明の効果】
【００１２】
本発明によれば、多層光記録媒体に対しては、レーザ入射面側側からみて最も奥に位置する第ｎの記録層から順に記録が行われる。従って、各記録層における記録時に、レーザ光が既にデータ記録が行われた記録層を通過することはなく、ピットマークによってレーザ光が遮られることはないため、容易に適正なデータ記録が実現される。
また、格納手段における格納時に各記録層に応じたブロックに分割されているため、第ｎの記録層から順に記録を行っても、記録完了後においては、データストリームの先頭から終端が、第１層から第ｎ層に向かって記録されている状態となり、例えば再生専用機においても適正な再生が実現できるものとなる。
そしてこれらのことは、多層記録媒体に対するオーサリングを容易化するという効果を導く。
【発明を実施するための最良の形態】
【００１３】
以下、例えばビデオコンテンツを多層光ディスクに記録する記録装置の実施の形態を説明する。
図１は実施の形態の記録装置のブロック図である。なお、この記録装置はビデオコンテンツを多層光ディスク９０に記録する装置であるが、図示する各部を含む単体の記録装置として実現されても良いし、各部が別体の機器とされ、オーサリングシステムとして構成されるものでもよい。
【００１４】
ＭＰＥＧ圧縮部２には、図示しないデータソースからのコンテンツデータ、例えば映画等のビデオコンテンツのデータが供給される。このビデオコンテンツは、ＭＰＥＧ圧縮部２においてＭＰＥＧ方式のエンコード処理で圧縮され、フォーマッタ３に供給される。
フォーマッタ３では、圧縮ビデオデータに対して、オーディオデータや制御情報を追加し、さらにディスク９０上でのアドレス順になるようにデータの並び替えを行う。即ちフォーマッタ３におけるフォーマッタ処理で、ディスクに記録すべきコンテンツデータＣＴとしてのストリームデータが形成される。
このコンテンツデータＣＴとしてのストリームデータは、フォーマッタ３でフォーマット処理されながらＨＤＤ４に記録されていく。ＨＤＤ４はディスク９０に記録するコンテンツデータＣＴの全体を一端格納することになる。
ＨＤＤ４に格納されたコンテンツデータＣＴは、後述する処理によって読み出され、ディスクドライブ５に供給される。ディスクドライブ５では、装填された光ディスク９０、例えば多層構造のＤＶＤ−Ｒ等のディスクに対してコンテンツデータＣＴの記録を行う。
【００１５】
コントローラ１は、フォーマッタ３における制御情報の付加や並び替え、ＨＤＤ４における書込／読出及び後述する分割処理、ディスクドライブ５における記録動作に関する制御を行う。
なお、フォーマッタ３、ＨＤＤ４，ディスクドライブ５が別体の機器とされる場合は、それぞれの機器において必要な制御を行うコントローラが設けられればよい。
【００１６】
本例は、例えばこの図１のような構成において、多層構造のＤＶＤ−Ｒ等の光ディスク９０において容易且つ適正なデータ記録が実行できるようにするものであり、特にはディスクのレーザ入射面側側からみて最も奥に位置する記録層から順に記録が行われるようにするものである。
多層構造の光ディスク９０としては、２層ディスクがまず想定され、さらに３層ディスク、４層ディスクなども想定できるが、ここでは一例として、装填されたディスク９０が３層ディスクである場合を例に挙げる。
【００１７】
図５に３層ディスクの構造を模式的に示す。
ディスク９０の層構造としては、ディスクのレーベル面側を構成する基板１０７に対して反射層１０６が形成される。その反射層１０６から、レーザ入射面１１８側に向かって、レイヤＬ２（第３層）としての記録層１０５、中間層１０４、レイヤＬ１（第２層）としての記録層１０３、中間層１０２、レイヤＬ０（第１層）としての記録層１０１、カバー層１００が形成される。
このような３層ディスク９０に対して、ディスクドライブ５の光学ヘッドは、レーザ入射面１１８側から対物レンズＯＢＬを介してレーザ光Ｌの照射を行う。光学ヘッド側は、対物レンズＯＢＬのフォーカス制御によって記録を行おうとする記録層に対して焦点をあわせたレーザスポットにより、目的とする記録層に対してピットマークを形成していく。
【００１８】
このような３層ディスク９０が装填されている場合、ディスクドライブ５は、コンテンツデータＣＴをまず第３層であるレイヤＬ２に記録を行い、その後レイヤＬ１，Ｌ０に順に記録を行う。
このための動作を以下説明する。
上記のようにフォーマッタ３によってフォーマット処理されたコンテンツデータＣＴとしてのデータストリームは、一端ＨＤＤ４に格納される。図２（ａ）には、ＨＤＤ４に書き込まれたコンテンツデータＣＴを示している。
ここでコントローラ１は、コンテンツデータＣＴに対してブロック分割を行う。ブロック分割は、コンテンツデータＣＴのデータサイズと、ディスク９０の層数及び各層のデータ容量にもよるが、ここではコンテンツデータＣＴが、レイヤＬ０からレイヤＬ３にわたって記録されるデータサイズであるとする。
【００１９】
この場合、図２（ｂ）に示すように、まずコンテンツデータＣＴの先頭から、レイヤＬ０の記録容量に応じたデータサイズの部分をブロックＢＫ０とする。ブロックＢＫ０はレイヤＬ０に記録すべきコンテンツデータＣＴ（Ｌ０）となる。
またコンテンツデータＣＴ（Ｌ０）に続く部分から、レイヤＬ１の記録容量に応じたデータサイズの部分をブロックＢＫ１とする。ブロックＢＫ１はレイヤＬ１に記録すべきコンテンツデータＣＴ（Ｌ１）となる。
そしてコンテンツデータＣＴ（Ｌ１）に続く部分から、コンテンツデータＣＴの終端までをブロックＢＫ２とする。ブロックＢＫ２はレイヤＬ２に記録すべきコンテンツデータＣＴ（Ｌ２）となる。
このようにブロックＢＫ０、ＢＫ１，ＢＫ２を設定したら、まず（１）として示すようにブロックＢＫ２をＨＤＤ４から読み出してディスクドライブ５に転送する。ディスクドライブ５は、ブロックＢＫ２のコンテンツデータＣＴ（Ｌ２）をディスク９０のレイヤＬ２に記録する。
次に（２）として示すようにブロックＢＫ１をＨＤＤ４から読み出してディスクドライブ５に転送する。ディスクドライブ５は、ブロックＢＫ１のコンテンツデータＣＴ（Ｌ１）をディスク９０のレイヤＬ１に記録する。
最後に（３）として示すようにブロックＢＫ０をＨＤＤ４から読み出してディスクドライブ５に転送する。ディスクドライブ５は、ブロックＢＫ０のコンテンツデータＣＴ（Ｌ０）をディスク９０のレイヤＬ０に記録する。
【００２０】
このような動作を行うための、ＨＤＤ４に対するコントローラ１の処理を図３に示す。
ステップＦ１０１では、ＨＤＤ４に対して、フォーマッタ３から供給されるコンテンツデータＣＴの全体を記録していくように制御する。
上記図２（ａ）のようにコンテンツデータＣＴのＨＤＤ４への格納が完了したら、次にコントローラ１はステップＦ１０２以降で、ブロック分割を行う。
まずステップＦ１０２で変数ｍを「０」とし、また変数Ｌmaxにディスク９０の最大レイヤナンバをセットする。３層ディスクの場合、最大レイヤはレイヤＬ２であるためそのレイヤナンバ「２」がセットされる。
【００２１】
ステップＦ１０１では、レイヤＬ（ｍ）のブロックＢＫ（ｍ）の設定を行う。変数ｍ＝０であるため、レイヤＬ０に対するブロックＢＫ０が、上記のように設定される。
ステップＦ１０４で変数ｍ＝Ｌmaxとなっているかを確認し、変数ｍ＝ＬmaxでなければステップＦ１０５で変数ｍをインクリメントしてステップＦ１０３に戻る。
従って続いてステップＦ１０３で、レイヤＬ１に対するブロックＢＫ１が、上記のように設定される。
さらにステップＦ１０４を介してＦ１０５で変数ｍをインクリメントしてステップＦ１０３に戻り、今度はレイヤＬ２に対するブロックＢＫ２が、上記のように設定される。
ブロックＢＫ２が設定された時点で、ステップＦ１０４でｍ＝Ｌmaxとなり、ブロック設定が完了する。
【００２２】
続いてＨＤＤ４からの読出を実行する。即ちステップＦ１０６に進み、ブロックＢＫ（ｍ）の読出をＨＤＤ４に指示するとともに、ディスクスクドライブ５に対して、ＨＤＤ４から読み出されるコンテンツデータＣＴ（ｍ）をディスク９０のレイヤＬ（ｍ）に記録するように指示する。
この時点で変数ｍ＝Ｌmax＝２であるため、ブロックＢＫ２のコンテンツデータＣＴ（Ｌ２）がＨＤＤ４からディスクドライブ５に転送され、ディスク９０のレイヤＬ２に記録されていくことになる。
【００２３】
ディスク９０がオポジットトラックパスのディスクであるとすると、データ記録は、レイヤＬ０では内周側から外周側に向かって行われ、レイヤＬ１では外周側から内周側に向かって行われ、レイヤＬ２では内周側から外周側に向かって行われることになる。
まずレイヤＬ２の記録が行われるため、ディスクドライブ５では、対物レンズＯＢＬを制御してレイヤＬ２へのフォーカス状態とした上で、内周側から外周側に向かってコンテンツデータＣＴ（Ｌ２）の記録を行う。
この際ディスクドライブ５は、図４のレイヤＬ２において示すように、最内周側はミドルエリアＭＡとして所定の管理情報もしくはダミーデータを記録した上、破線矢印で示すように内周側から外周側に向かってコンテンツデータＣＴ（Ｌ２）を記録していく。そしてコンテンツデータＣＴ（Ｌ２）の終端までを記録したら、以降、外周側の所定位置まではリードアウトＬＯとしてダミーデータ（管理情報が含まれる場合もある）の記録を行う。
【００２４】
以上のレイヤＬ２の記録が完了したら、コントローラ１はステップＦ１０７に進み、変数ｍ＝０であるか否かを確認する。この時点では変数ｍ＝２であるためステップＦ１０８に進み、変数ｍをデクリメントしてステップＦ１０６に戻る。
従って今度は、コントローラ１はブロックＢＫ１の読出をＨＤＤ４に指示するとともに、ディスクスクドライブ５に対して、ＨＤＤ４から読み出されるコンテンツデータＣＴ（Ｌ１）をディスク９０のレイヤＬ１に記録するように指示する。
この際ディスクドライブ５は、図４のレイヤＬ１において示すように、最外周側にミドルエリアＭＡとして所定の管理情報もしくはダミーデータを記録した上、破線矢印で示すように外周側から内周側に向かってコンテンツデータＣＴ（Ｌ１）を記録していく。そしてコンテンツデータＣＴ（Ｌ１）の終端までを記録したら、以降、内周側の所定位置まではミドルエリアＭＡとしてダミーデータ等の記録を行う。
【００２５】
レイヤＬ１の記録が完了したら、コントローラ１はステップＦ１０７に進み、変数ｍ＝０であるか否かを確認する。この時点では変数ｍ＝１であるためステップＦ１０８に進み、変数ｍをデクリメントしてステップＦ１０６に戻る。
従って今度は、コントローラ１はブロックＢＫ０の読出をＨＤＤ４に指示するとともに、ディスクスクドライブ５に対して、ＨＤＤ４から読み出されるコンテンツデータＣＴ（Ｌ０）をディスク９０のレイヤＬ１に記録するように指示する。
ディスクドライブ５は、図４のレイヤＬ０において示すように、破線矢印で示すように内周側から外周側に向かってコンテンツデータＣＴ（Ｌ０）を記録していく。そしてコンテンツデータＣＴ（Ｌ０）の終端までを記録したら、以降、外周側の所定位置まではミドルエリアＭＡとしてダミーデータ等の記録を行う。さらに、内周側の所定位置にリードイン（Ｌ１）として管理情報の記録を行って、ディスク９０に対するコンテンツデータＣＴの記録を完了する。
コントローラ１の処理としては、この時点でステップＦ１０７で変数ｍ＝０とされることで終了される。
【００２６】
以上の動作が行われることで、ディスク９０に対しては、レーザ入射面１１８側からみて最も奥のレイヤＬ２から順に記録が行われる。従って、各記録層Ｌ２，Ｌ１，Ｌ０に対する記録時に、レーザ光が既にデータ記録が行われた記録層を通過することはなく、ピットマークによってレーザ光が遮られることはないため、容易に適正なデータ記録が実現される。
また、ＨＤＤ４に格納されたコンテンツデータＣＴのブロック分割が行われ、ブロックＢＫ２から順に読み出されてディスクドライブ５に転送されるため、レイヤＬ２から順に記録を行っても、記録完了後の図４に示す状態では、コンテンツデータＣＴとしてのデータストリームの先頭から終端が、レイヤ０の先頭から、そのトラックパス方向に従いながら、レイヤＬ２の終端に向かって記録されている状態となる。つまり各レイヤのアドレス順序に応じて適正なデータ順序でコンテンツデータＣＴが記録され、その再生も問題ないものとなる。
【００２７】
なお、以上の例は３層ディスクで説明したが、２層ディスク、或いは４層以上のディスクにおいても、本発明が同様に適用できることは言うまでもない。
またＤＶＤ方式の多層ディスクに限らず、他の方式の多層光記録媒体に対するデータ記録において本発明は適用できる。
【図面の簡単な説明】
【００２８】
【図１】本発明の実施の形態の記録装置のブロック図である。
【図２】実施の形態のブロック分割及び記録順序の説明図である。
【図３】実施の形態のブロック分割及び記録制御のフローチャートである。
【図４】実施の形態のディスクへの記録状態の説明図である。
【図５】３層ディスクの構造例の説明図である。
【符号の説明】
【００２９】
１  コントローラ、２  ＭＰＥＧ圧縮部、３  フォーマッタ、４  ＨＤＤ、５  ディスクドライブ、９０  ディスク
【図１】
2005293648.tif 000003
【図２】
2005293648.tif 000004
【図３】
2005293648.tif 000005
【図４】
2005293648.tif 000006
【図５】
2005293648.tif 000007